【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
第１基板と第２基板との間に形成された第１液晶層で構成された第１液晶パネルと、前記第１液晶パネルの下部に具備され互いに異なる屈折率を有する第１層及び第２層が交互に多数積層され、入射光のうちの一部は反射し、残りは透過する半透過フィルムと、を有する第１表示部と、
前記第１表示部の下部に配置され、第３基板と第４基板との間に形成された第２液晶層で構成された第２液晶パネルを有する第２表示部と、
前記第１表示部と第２表示部との間に配置され、第１光を分割して前記第１表示部及び第２表示部にそれぞれ提供する導光板、及び前記導光板の下部に配置され入射光のうちの一部は反射して残りは透過して、前記第１表示部及び第２表示部の輝度比を調節する輝度調節部材を含む光供給部と、を含む液晶表示装置。
【請求項２】
前記第１表示部は、前記第１液晶パネルの上面に配置される第１偏光板と、前記第１液晶パネルと半透過フィルムとの間に配置される第２偏光板と、を更に具備し、
前記半透過フィルムは、前記第２偏光板と一体で形成されたことを特徴とする請求項１記載の液晶表示装置。
【請求項３】
前記第１表示部は、前記第１液晶パネルの上面に配置される第１偏光板と、前記第１液晶パネルと半透過フィルムとの間に配置される第２偏光板と、を更に具備し、
前記半透過フィルムは、前記第２偏光板と分離された別のシート形態で形成されたことを特徴とする請求項１記載の液晶表示装置。
【請求項４】
前記半透過フィルムは、前記入射光の偏光状態及び方向によって異なる透過特性及び反射特性を有することを特徴とする請求項１記載の液晶表示装置。
【請求項５】
前記半透過フィルムの面をｘ−ｙ面と定義し、前記半透過フィルムの厚さ方向をｚ軸と定義する時、前記第１層及び第２層の３つの主屈折率ｎｘ、ｎｙ、ｎｚは、
ｎ１ｘ＝ｎ１ｚ≠ｎ１ｙ
ｎ２ｘ＝ｎ２ｙ＝ｎ２ｚ
ｎ１ｘ≠ｎ２ｘ
ｎ１ｙ≠ｎ２ｙ
｜ｎ１ｘ−ｎ２ｘ｜＜｜ｎ１ｙ−ｎ２ｙ｜
（ただし、ｎ１ｘ、ｎ１ｙ、ｎ１ｚはそれぞれ第１層のｘ方向、ｙ方向、ｚ方向の主屈折率を表し、ｎ２ｘ、ｎ２ｙ、ｎ２ｚはそれぞれ第２層のｘ方向、ｙ方向、ｚ方向の主屈折率を表す）の関係を満足することを特徴とする請求項４記載の液晶表示装置。
【請求項６】
前記半透過フィルムは、入射光の偏光状態及び方向と関係なく、同じ透過特性及び反射特性を有することを特徴とする請求項１記載の液晶表示装置。
【請求項７】
前記半透過フィルムの面をｘ−ｙ面と定義し、前記半透過フィルムの厚さ方向をｚ軸と定義する時、前記第１層及び第２層の３つの主屈折率ｎｘ、ｎｙ、ｎｚは、
ｎ１ｘ＝ｎ１ｙ＝ｎ１ｚ
ｎ２ｘ＝ｎ２ｙ＝ｎ２ｚ≠ｎ１ｚ
（ただし、ｎ１ｘ、ｎ１ｙ、ｎ１ｚはそれぞれ第１層のｘ方向、ｙ方向、ｚ方向の主屈折率を表し、ｎ２ｘ、ｎ２ｙ、ｎ２ｚはそれぞれ第２層のｘ方向、ｙ方向、ｚ方向の主屈折率を表す）の関係を満足することを特徴とする請求項６記載の液晶表示装置。
【請求項８】
前記第１表示部には反射光経路及び透過光経路が提供され、前記反射光経路は、前記第１液晶パネルの前面を通じて入射し、前記半透過フィルムで反射し、前記第１液晶パネルの前面に出射され、前記透過光経路は、前記光供給部から前記第１液晶パネルの後面を通じて入射し、前記半透過フィルムを透過して、前記第１液晶パネルの前面に出射されることを特徴とする請求項１記載の液晶表示装置。
【請求項９】
前記半透過フィルムは、前記入射光の偏光状態及び方向によって異なる透過特性及び反射特性を有する第１半透過層と、前記入射光の偏光状態及び方向と関係なく、同じ透過特性及び反射特性を有する第２半透過層と、を含むことを特徴とする請求項１記載の液晶表示装置。
【請求項１０】
前記第１表示部は、光散乱層を更に含むことを特徴とする請求項１記載の液晶表示装置。
【請求項１１】
前記半透過フィルムは、入射光の偏光状態及び方向によって異なる透過特性及び反射特性を有する２つの異方性半透過層を含むことを特徴とする請求項１記載の液晶表示装置。
【請求項１２】
前記第１表示部は、前記第１液晶パネルの上面に配置される第１偏光板と、前記第１液晶パネルと半透過フィルムとの間に配置される第２偏光板と、を更に具備し、
前記光散乱層は、前記第１基板と第２偏光板との間に形成されることを特徴とする請求項１０記載の液晶表示装置。
【請求項１３】
前記第１表示部は、前記第１液晶パネルの上面に配置された第１偏光板と、前記第１液晶パネルと半透過フィルムとの間に配置された第２偏光板と、を更に具備し、
前記光散乱層は、前記第２基板と第１偏光板との間に形成されることを特徴とする請求項１０記載の液晶表示装置。
【請求項１４】
前記第１表示部は、前記第１液晶パネルの上面に配置された第１偏光板と、前記第１液晶パネルと半透過フィルムとの間に配置された第２偏光板と、を更に具備し、
前記光散乱層は、前記第２偏光板と半透過フィルムとの間に形成されることを特徴とする請求項１０記載の液晶表示装置。
【請求項１５】
前記第２表示部は、
前記第２液晶パネルの第１面に具備され、前記第２液晶パネルと前記輝度調節部材との間に配置される第３偏光板と、
前記第２液晶パネルの第２面に具備された第４偏光板と、を更に含むことを特徴とする請求項１記載の液晶表示装置。
【請求項１６】
前記導光板は、
前記第１光の入射を受けて、前記第１光の一部である第２光を前記第１表示部に提供し、残りである第３光を前記第２表示部に向かって透過させ、
前記輝度調節部材は前記第３光の一部を反射し、前記第３光の残りを透過させて前記第１表示部及び第２表示部の輝度比を調節することを特徴とする請求項１記載の液晶表示装置。
【請求項１７】
前記導光板は、
前記第１光の入射を受ける光入射面と、
前記第２光を前記第１表示部に反射して、前記第３光を前記第２表示部に向かって透過させる光反射−透過面と、
前記光反射−透過面と対向して前記第２光を出射する光出射面と、を含むことを特徴とする請求項１６記載の液晶表示装置。
【請求項１８】
前記光反射−透過面には複数のドットを有する光反射パターンが形成され、前記ドットのサイズは前記光入射面から離れるほど大きくなることを特徴とする請求項１７記載の液晶表示装置。
【請求項１９】
前記輝度調節部材は、シート形状を有することを特徴とする請求項１６記載の液晶表示装置。
【請求項２０】
前記半透過フィルムと導光板との間に、前記第２光の光学特性を向上させるための光学シート類を更に具備することを特徴とする請求項１７記載の液晶表示装置。
【請求項２１】
前記第１表示部の輝度は、前記第２表示部の輝度より高いことを特徴とする請求項１記載の液晶表示装置。
【請求項２２】
前記第１液晶パネルの面積は、前記第２液晶パネルの面積と同じであることを特徴とする請求項１記載の液晶表示装置。
【請求項２３】
前記第１液晶パネルの面積は、前記第２液晶パネルの面積より大きいことを特徴とする請求項１記載の液晶表示装置。
【請求項２４】
第１基板と第２基板との間に形成された第１液晶層で構成された第１液晶パネルと、前記第１液晶パネルの下部に具備され互いに異なる屈折率を有する第１層及び第２層が交互に多数積層され、入射光のうちの一部は反射し、残りは透過する第１半透過フィルムと、を有する第１表示部と、
前記第１表示部の下部に配置され、第３基板と第４基板との間に形成された第２液晶層を含む第２液晶パネルで構成された第２表示部と、
前記第１表示部と第２表示部との間に配置され、ランプから発生された光の一部である第１光を分割して前記第１表示部及び第２表示部にそれぞれ提供する第１導光板、前記光の残りである第２光を分割して前記第１表示部及び第２表示部にそれぞれ提供する第２導光板、及び前記第１及び第２導光板の間に配置され入射光のうちの一部は反射して残りは透過して前記第１表示部及び第２表示部の輝度比を調節する輝度調節部材を含む光供給部と、を含む液晶表示装置。
【請求項２５】
前記第１基板上には、スイッチング素子、及び前記スイッチング素子と接続される透明画素電極が形成され、第２基板上には、前記透明画素電極と向かい合う透明共通電極が形成されることを特徴とする請求項２４記載の液晶表示装置。
【請求項２６】
前記スイッチング素子は、薄膜トランジスタであることを特徴とする請求項２５記載の液晶表示装置。
【請求項２７】
前記光供給部は、
前記光を発生する光源、を含み、
前記第１導光板は前記第１光の入射を受けて前記第３光を前記第１表示部に提供し、前記第４光を前記第２表示部側に透過させ、
前記第２導光板は前記第２光の入射を受けて第５光を前記第２表示部に提供し、第６光を前記第１表示部側に透過させ、
前記輝度調節部材は、前記第４光の一部を前記第１表示部に反射し、残りを第２表示部に透過し、前記第６光の一部を前記第１表示部に透過し、残りを前記第２表示部に反射して、前記第１表示部と第２表示部との間の輝度比を調節することを特徴とする請求項２４記載の液晶表示装置。
【請求項２８】
前記第１導光板は、
前記第１光の入射を受ける第１光入射面と、
前記第３光を前記第１表示部に反射して、前記第４光を前記第２表示部に向かって透過する第１光反射−透過面と、
前記第１光反射−透過面と対向して前記第３光を出射する第１光出射面と、を含み、
前記第２導光板は、
前記第２光の入射を受ける第２光入射面と、
前記第５光を前記第２表示部に反射して、前記第６光を前記第１表示部に向かって透過する第２光反射−透過面と、
前記第２光反射−透過面と対向して前記第５光を出射する第２光出射面と、を含むことを特徴とする請求項２７記載の液晶表示装置。
【請求項２９】
前記第１光反射−透過面には、複数の第１ドットを有する第１光反射パターンが形成され、前記第２光反射−透過面には、複数の第２ドットを有する第２光反射パターンが形成され、前記第１ドット及び第２ドットのサイズは、前記第１光入射面から離れるほど大きくなることを特徴とする請求項２８記載の液晶表示装置。
【請求項３０】
前記第１導光板の平面積は、前記第２導光板の平面積より大きく、前記第２光反射パターンの距離当りのサイズ変化率は、前記第１光反射パターンの距離当りのサイズ変化率より大きいことを特徴とする請求項２９記載の液晶表示装置。
【請求項３１】
前記第１液晶パネルの面積は、前記第２液晶パネルの面積と同じであることを特徴とする請求項２４記載の液晶表示装置。
【請求項３２】
前記第１液晶パネルの面積は、前記第２液晶パネルの面積より大きいことを特徴とする請求項２４記載の液晶表示装置。
【請求項３３】
前記第２表示部は、
前記第２液晶パネルと前記光供給部との間に具備され、互いに異なる屈折率を有する第３層及び第４層が交互に多数積層され、入射光のうちの一部は反射し、一部は透過する第２半透過フィルムを更に具備することを特徴とする請求項２４記載の液晶表示装置。